(57)【要約】【課題】ユニットの設定内容の更新を容易に行うことができる機器管理システムを提供することにある。【解決手段】機器管理システムは、所定の管理領域に存在する複数台の機器（照明機器Ｌｄ，計量機器Ｍｓ）に通信ネットワークを通じて接続され、制御信号を受信すると記憶部１０に記憶された設定内容にしたがって機器の管理を行う複数台のユニット１と、ユニット１の最新の設定内容が記憶される記憶部７０を有した設定装置７とを備え、設定装置７は、通信ネットワークを通じてユニット１に最新の設定内容を送信する設定内容送信部７３を有し、ユニット１は、設定装置７より最新の設定内容を受け取ると、受け取った最新の設定内容に記憶部１０の設定内容を更新する設定内容更新部１３を有する。【選択図】図１
2009265938.tif 000002
【特許請求の範囲】
【請求項１】
所定の管理領域に存在する複数台の機器に通信ネットワークを通じて接続され、制御信号を受信すると記憶部に記憶された設定内容にしたがって機器の管理を行う複数台のユニットと、ユニットの最新の設定内容が記憶される更新内容記憶部を有した設定装置とを備え、
設定装置は、上記通信ネットワークを通じてユニットに最新の設定内容を送信する設定内容送信部を有し、
ユニットは、設定装置より最新の設定内容を受け取ると、受け取った最新の設定内容に記憶部の設定内容を更新する設定内容更新部を有していることを特徴とする機器管理システム。
【請求項２】
上記設定装置は、上記複数台のユニット全てに対して上記記憶部に記憶された設定内容の通知を要求する通知要求信号を送信する設定内容要求部を有し、
上記ユニットは、上記通知要求信号を受信すると上記記憶部に記憶された設定内容を上記設定装置に送信する設定内容通知部を有し、
上記設定内容送信部は、上記ユニットから受け取った設定内容と、上記更新内容記憶部に記憶された最新の設定内容とが同一か否かの判定を行い、判定の結果が同一でない上記ユニットに対してのみ上記最新の設定内容を送信することを特徴とする請求項１記載の機器管理システム。
【請求項３】
上記ユニットは、シミュレーション用の偽制御信号を受信すると受信した偽制御信号の制御内容と同内容の制御信号を受信した際に上記記憶部に記憶された設定内容にしたがって行われる機器の管理結果を示す結果データを作成して上記設定装置に送信する結果通知部を有し、
上記設定装置は、上記ユニットのシミュレーション用のデータの入力に使用されるデータ入力部と、データ入力部の入力内容に応じた偽制御信号を上記ユニットに送信する偽制御信号送信部と、上記ユニットより受け取った結果データに基づいて機器の管理結果を表示する結果表示部とを有していることを特徴とする請求項１または２記載の機器管理システム。
【請求項４】
上記結果表示部は、機器の管理結果を表示するにあたっては、上記所定の管理領域を示す地図画像を、当該管理領域に存在する複数台の機器それぞれを示す機器画像とともに表示し、かつ機器の管理状態に応じて機器画像を異ならせることを特徴とする請求項３記載の機器管理システム。
【請求項５】
上記設定装置は、上記複数台のユニット全てに対して上記記憶部に記憶された設定内容の通知を要求する通知要求信号を送信する設定内容要求部を有し、
上記ユニットは、上記設定内容要求信号を受信すると上記記憶部に記憶された設定内容を上記設定装置に送信する設定内容通知部を有し、
上記設定装置には、上記ユニットから受け取った設定内容がバックアップ情報として記憶されるバックアップ用記憶部が設けられていることを特徴とする請求項１〜４のうちいずれか１項記載の機器管理システム。
【発明の詳細な説明】
【技術分野】
【０００１】
本発明は、大規模な管理領域に配置した機器の管理（監視・制御）を行うのに適した機器管理システムに関するものである。
【背景技術】
【０００２】
従来から、通信ネットワークを用いて多数台の機器を管理（監視と制御との少なくとも一方）する機器管理システムが提案されている。
【０００３】
例えば、特許文献１には、ビルの電力、照明、防災などの設備機器を統合管理するシステムとして、ビルオートメーションシステムが例示されている。特許文献１に示すものは、中央管理装置と、設備機器管理装置（ユニット）と、空調機（機器）と、操作端末とが専用線などのネットワークにより互いに接続されて構成されている。設備機器管理装置は、空調機の制御（例えば設定温度の変更や暖房・冷房の切り換えの指令など）や、空調機の監視（例えば空調機の状態を示す情報の送信要求の受付や、実行）などを行う。この設備機器管理装置での設定内容は、操作端末により変更することができる。
【特許文献１】特開２００４−４６８１２号公報
【発明の開示】
【発明が解決しようとする課題】
【０００４】
特許文献１に示すものでは、端末装置により設備機器管理装置の設定内容を個々に変更することができる。しかしながら、設備機器管理装置の設定内容を個々に変更していたのでは、システムの規模が大きくなり、設備機器管理装置の数が増えた場合には、設備機器管理装置の設定内容を変更する作業が煩雑になってしまう。
【０００５】
本発明は上記事由に鑑みて為されたものであり、その目的は、ユニットの設定内容の更新を容易に行うことができる機器管理システムを提供することにある。
【課題を解決するための手段】
【０００６】
上述の課題を解決するために、請求項１の発明では、所定の管理領域に存在する複数台の機器に通信ネットワークを通じて接続され、制御信号を受信すると記憶部に記憶された設定内容にしたがって機器の管理を行う複数台のユニットと、ユニットの最新の設定内容が記憶される更新内容記憶部を有した設定装置とを備え、設定装置は、上記通信ネットワークを通じてユニットに最新の設定内容を送信する設定内容送信部を有し、ユニットは、設定装置より最新の設定内容を受け取ると、受け取った最新の設定内容に記憶部の設定内容を更新する設定内容更新部を有していることを特徴とする。
【０００７】
請求項１の発明によれば、設定装置の更新内容記憶部に最新の設定内容を書き込むことで、ユニットの設定内容を最新の設定内容に更新することができるので、ユニット毎に記憶部の設定内容を更新しなく済むから、ユニットの設定内容の更新を容易に行うことができる。
【０００８】
請求項２の発明では、請求項１の発明において、上記設定装置は、上記複数台のユニット全てに対して上記記憶部に記憶された設定内容の通知を要求する通知要求信号を送信する設定内容要求部を有し、上記ユニットは、上記通知要求信号を受信すると上記記憶部に記憶された設定内容を上記設定装置に送信する設定内容通知部を有し、上記設定内容送信部は、上記ユニットから受け取った設定内容と、上記更新内容記憶部に記憶された最新の設定内容とが同一か否かの判定を行い、判定の結果が同一でない上記ユニットに対してのみ上記最新の設定内容を送信することを特徴とする。
【０００９】
請求項２の発明によれば、設定内容の更新が必要なユニットにのみ設定装置から最新の設定内容が送信されるから、設定内容の更新時の通信ネットワークにおけるトラフィックを減少させることができる。
【００１０】
請求項３の発明では、請求項１または２の発明において、上記ユニットは、シミュレーション用の偽制御信号を受信すると受信した偽制御信号の制御内容と同内容の制御信号を受信した際に上記記憶部に記憶された設定内容にしたがって行われる機器の管理結果を示す結果データを作成して上記設定装置に送信する結果通知部を有し、上記設定装置は、上記ユニットのシミュレーション用のデータの入力に使用されるデータ入力部と、データ入力部の入力内容に応じた偽制御信号を上記ユニットに送信する偽制御信号送信部と、上記ユニットより受け取った結果データに基づいて機器の管理結果を表示する結果表示部とを有していることを特徴とする。
【００１１】
請求項３の発明によれば、機器の管理結果をシミュレーションすることができるから、想定通りに機器が管理されるか否かの確認が行える。特に、シミュレーション時には機器の管理を行わないので、システムの運用中であっても問題なくシミュレーションを行うことができる。
【００１２】
請求項４の発明では、請求項１〜３のうちいずれか１項の発明において、上記結果表示部は、機器の管理結果を表示するにあたっては、上記所定の管理領域を示す地図画像を、当該管理領域に存在する複数台の機器それぞれを示す機器画像とともに表示し、かつ機器の管理状態に応じて機器画像を異ならせることを特徴とする。
【００１３】
請求項４の発明によれば、機器の管理結果を視覚的に分かり易く把握することができる。
【００１４】
請求項５の発明では、請求項１〜４のうちいずれか１項の発明において、上記設定装置は、上記複数台のユニット全てに対して上記記憶部に記憶された設定内容の通知を要求する通知要求信号を送信する設定内容要求部を有し、上記ユニットは、上記設定内容要求信号を受信すると上記記憶部に記憶された設定内容を上記設定装置に送信する設定内容通知部を有し、上記設定内容記憶部には、上記ユニットから受け取った設定内容がバックアップ情報として記憶されるバックアップ用記憶領域が設けられていることを特徴とする。
【００１５】
請求項５の発明によれば、設定内容を更新する前の各ユニットの設定内容が必要な場合などに対応することができる。
【発明の効果】
【００１６】
本発明は、ユニットの設定内容の更新を容易に行うことができるという効果を奏する。
【発明を実施するための最良の形態】
【００１７】
本発明では、各種機器の動作状態を監視することと各種機器を制御することとを総称して機器の「管理」と呼ぶ。したがって、機器の管理は、機器の監視と制御との少なくとも一方を意味する。また、管理対象となる機器が配置されている領域の全体を「管理領域」と呼び、管理領域を複数の小領域に分割したときの一つの小領域を「エリア」と呼ぶ。
【００１８】
管理領域は、オフィスビル・集合住宅・病院・学校・ホテル・体育館・美術館・博物館・ショッピングセンタのような各種建物内、複数の建物を含む集合住宅の敷地内、土地開発された複数個の住戸を含むひとまとまりの住宅地内、テーマパーク内、公園内のような広範囲の空間であって、照明機器や冷暖房機器などの機器が多数配置される空間に相当する。一方、エリアは、建物の各階あるいは各室、土地を適宜に区切ったときの各区画に相当する。
【００１９】
以下では、図２に示すように、公園の全体を管理領域Ａとし、公園内を場所ごとに適宜に仕切ることにより複数のエリアＥ１〜Ｅ８を設けている場合を例として説明する。また、図示例では、管理領域Ａを８個のエリアＥ１〜Ｅ８に分割しているが、各エリアＥ１〜Ｅ８をとくに区別する必要がないときには、エリアＥと表記する。
【００２０】
以下に説明する実施形態では、監視および制御の対象となる機器として照明機器Ｌｄを例示し、監視の対象となる機器として電気計量（電圧、電流、電力などの計量）を行う計量機器Ｍｓを例示する。
【００２１】
本実施形態の機器管理システムは、図１に示すように、エリアＥ内の照明の監視・制御、電力量の監視などを行うエリアユニット２と、エリアユニット２配下の機器（照明機器Ｌｄ、計量機器Ｍｓ）や警報履歴の管理などを行う管理ユニット３と、エリアユニット２と制御用端末器ＴＵ２に接続される照明機器Ｌｄとの間に（図示例では操作用端末器ＴＵ１に付設されるスイッチＳＷとの間にも）介在される照明制御ユニット４と、エリアユニット２と計量機器Ｍｓとの間に介在される計量管理ユニット５とを備える。なお、以下では、エリアユニット２と、管理ユニット３と、照明制御ユニット４と、計量管理ユニット５とを区別する必要がなければ、一括してユニット１と呼ぶ。
【００２２】
ここで、エリアユニット２および管理ユニット３と、照明制御ユニット４および計量管理ユニット５との間は、エリアＥ毎に、中間層の通信ネットワーク（以下、「中位ネット」と呼ぶ）Ｎｍにより接続される。照明制御ユニット４や計量管理ユニット５は、エリアＥ毎に１乃至複数台配置されるが、エリアユニット２と管理ユニット３とは、エリアＥごとに１台ずつ配置される。
【００２３】
照明制御ユニット４には下位層の通信ネットワーク（以下、「下位ネット」という）Ｎｉ１が、計量管理ユニット５には下位ネットＮｉ２が一対一対応で接続される。ここで、下位ネットＮｉ１，Ｎｉ２は、機器の種別毎に分類して設けられる。本実施形態の場合、監視と制御との両方を行う機器（すなわち照明機器Ｌｄ）と、監視のみを行う機器（すなわち計量機器Ｍｓ）とに分けて、機器ごとに下位ネットＮｉ１，Ｎｉ２が設けられている。本実施形態の場合、下位ネットＮｉ１に照明機器Ｌｄが接続され、下位ネットＮｉ２に計量機器Ｍｓが接続される。
【００２４】
本実施形態の機器管理システムは、複数台のユニット１に加えて、中央管理装置６と、設定装置７とを備える。中央管理装置６は、センタサーバ６ａと、管理用コンピュータ６ｂとで構成されており、センタサーバ６ａは、エリアユニット２と通信することによって、照明機器Ｌｄの制御や監視、計量機器Ｍｓで計測した電力量の収集を行う機能や、管理ユニット３と通信することによって、エリアＥに散在する機器（照明機器Ｌｄ，計量機器Ｍｓ）の運行状態を集中監視する機能、管理ユニット３を通じて機器警報を管理する機能などを備える。管理用コンピュータ６ｂは、センタサーバ６ａのデータ確認や機器管理システム全体の監視制御に使用される。
【００２５】
中央管理装置６は、上位層の通信ネットワーク（以下、「上位ネット」と呼ぶ）Ｎｓを通じて、上位側ユニット１Ｕに接続される。なお、本実施形態の場合、上位ネットＮｓはローカルエリアネットワークであり、エリアユニット２および管理ユニット３と中央管理装置６との間にはルータ８が介在される。また、上位ネットＮｓにはＮＴＰ（Network Time Protocol）サーバ９を接続してある。
【００２６】
ここで、上位ネットＮｓは、ネットワーク層ではＩＰｖ６に対応したＩＰプロトコルを用い、上位層のプロトコルとして独自プロトコルを用いている。また、中位ネットＮｍは、ネットワーク層においてはＩＰプロトコルを用い、上位層のプロトコルとして設備機器の標準オープンプロトコルであるＢＡＣｎｅｔプロトコルを用いる。
【００２７】
一方、照明制御ユニット４に接続された下位ネットＮｉ１は、２線式の信号線Ｌｓ１を伝送される固定長の伝送信号を用いた時分割多重伝送方式の通信ネットワークを構築している。計量管理ユニット５に接続された下位ネットＮｉ２は、ＲＳ−４８５、ＲＳ−２３２Ｃなどのシリアル通信による通信ネットワークまたはＥｔｈｅｒｎｅｔ（登録商標）による通信ネットワークを構築しており、信号線Ｌｓ２を通して情報を授受する。
【００２８】
ここで、本実施形態における下位ネットＮｉ１の構成要素は、固定長の伝送信号を信号線Ｌｓ１に定期的に送出する伝送装置ＣＮと、信号線Ｌｓ１に接続された操作用端末器ＴＵ１および制御用端末器ＴＵ２とである。操作用端末器ＴＵ１にはスイッチＳＷが付設され、制御用端末器ＴＵ２には照明機器Ｌｄが接続される。操作用端末器ＴＵ１および制御用端末器ＴＵ２には、それぞれスイッチＳＷと照明機器Ｌｄとに対応付けたアドレスが設定されており、伝送装置ＣＮにおいてスイッチＳＷと照明機器Ｌｄとのアドレスを関係テーブルで関係付けている。したがって、いずれかのスイッチＳＷを操作すると、関係テーブルで関係付けた照明機器Ｌｄが点灯または消灯する。ここに、スイッチＳＷと等価に用いることができる明るさセンサや人感センサをスイッチＳＷに代えて用いると、明るさや人の存否に応じて照明機器Ｌｄの点灯と消灯とを制御することができる。
【００２９】
上述した下位ネットＮｉ１を構築する負荷制御システムの技術は周知であるが、簡単に動作を説明する。伝送装置ＣＮは一定時間毎に固定長の伝送信号を信号線Ｌｓ１に送出しており、スイッチＳＷの操作時には伝送信号に同期するタイミングで操作用端末器ＴＵ１が割込信号を信号線Ｌｓ１に送出する。この割込信号を伝送装置ＣＮが受信すると、伝送装置ＣＮは伝送信号によってアドレスの返送を要求する。
【００３０】
伝送信号には、操作用端末器ＴＵ１から返送される情報を載せるタイムスロットが設けられており、伝送装置ＣＮから伝送信号によってアドレスの返送が要求されると、割込信号を発生した操作用端末器ＴＵ１はこのタイムスロットにおいて自己のアドレスを伝送装置ＣＮに返送する。伝送装置ＣＮは、取得したアドレスを指定する伝送信号により操作用端末器ＴＵ１からスイッチＳＷのオン・オフの状態を獲得する。さらに、関係テーブルと照合することによって、スイッチＳＷに対応付けた照明機器Ｌｄに対してアドレスを指定して伝送信号を伝送し、操作用端末器ＴＵ１から獲得したスイッチＳＷのオン・オフの状態に従って照明機器Ｌｄの点灯・消灯を制御する。なお、伝送信号としては、パルス幅によってデジタル値を表すパルス幅変調された信号であって正負の電圧値が等しい双極性の信号を用いる。したがって、操作用端末器ＴＵ１または監視用端末器ＴＵ２では、伝送信号を整流することにより、伝送装置ＣＮとの通信に必要な電源を確保する。下位ネットＮｉ１において、操作用端末器ＴＵ１や制御用端末器ＴＵ２の接続台数にはアドレス空間による制限があるが、実際には伝送装置ＣＮの電流供給容量によって台数が制限される。例えば、操作用端末器ＴＵ１であれば約５０台程度である。
【００３１】
また、下位ネットＮｉ１では、操作用端末器ＴＵ１と制御用端末器ＴＵ２とのアドレスを関係付けることにより、スイッチＳＷと照明機器Ｌｄとを関係付けているから、スイッチＳＷと照明機器Ｌｄとを一対一に関係付けるだけではなく、一対多に関係付けることができる。ここで、１個のスイッチＳＷのオン・オフで１個の照明機器Ｌｄの点灯・消灯を行う場合を「個別制御」と呼び、１個のスイッチＳＷのオン・オフで複数個の照明機器Ｌｄの点灯・消灯を連動させる制御を「グループ制御」と呼ぶ。また、１個のスイッチＳＷのオンで、複数個の照明機器Ｌｄの点灯・消灯の状態をあらかじめ定めた状態とする制御を「パターン制御」と呼ぶ。上述のグループ制御では、スイッチＳＷに関係付けた複数個の照明機器Ｌｄの点灯・消灯の状態が同状態であり、しかもスイッチＳＷのオン・オフに連動する。一方、パターン制御では、スイッチＳＷに関係付けた複数個の照明機器Ｌｄの点灯・消灯の状態を個別に指定しておくことができ、スイッチＳＷのオン操作によって各照明機器Ｌｄの点灯・消灯の状態が指定された状態になる。
【００３２】
本実施形態の機器管理システムでは、エリアユニット２と、管理ユニット３と、照明制御ユニット４と、計量管理ユニット５とは、ハードウェアにおいて同様の構成を有し（相互に共通のハードウェア構成を有し）、ソフトウェアにおいて異なる構成を有している。
【００３３】
ユニット１は、マイクロコンピュータを主構成要素に持ち、ＲＡＭおよびＲＯＭ（例えば、着脱可能なフラッシュＲＯＭ）からなる記憶部１０と、管理部１１とを備える。なお、ユニット１には、複数種類の通信にそれぞれ対応した複数個の通信処理部と、各通信処理部にそれぞれ外部電線を接続するための通信ポートとで構成された通信部（図示せず）が設けられる。この通信部によって、Ｅｔｈｅｒｎｅｔ（登録商標）規格の中位ネットＮｍおよび上位ネットＮｓ、照明機器Ｌｄを接続する下位ネットＬｉ１、計量機器Ｍｓが接続されるＲＳ−４８５規格（シリアル通信用でありＲＳ−２３２Ｃ規格でもよい）の下位ネットＬｉ２にそれぞれ接続可能である。このような通信部は従来周知の構成を採用できるから説明は省略する。
【００３４】
記憶部１０には、管理部１１の動作に必要な設定内容が記憶される。
【００３５】
管理部１１は、例えば、中央管理装置６より所定の制御信号を受信すると、記憶部１０に記憶された設定内容にしたがって機器の管理などの所定の動作を行う。このような管理部１１は、ユニット１の主構成要素であるマイクロコンピュータに所定のプログラムを実行させることによって実現される。
【００３６】
管理部１１の動作内容は、ユニット１の種類、すなわち、エリアユニット２、管理ユニット３、照明制御ユニット４、および計量管理ユニット５によって異なる。
【００３７】
照明制御ユニット４の管理部１１は、機器（照明機器Ｌｄ）の管理を行う監視制御機能を有する。当該監視制御機能は、照明機器Ｌｄの点灯・消灯の状態（動作状態）を監視情報として獲得してエリアユニット２に送信する監視機能と、エリアユニット２から受信した制御情報を照明機器Ｌｄの点灯・消灯の状態に反映させる（すなわちエリアユニット２から受信した制御情報にしたがって照明機器Ｌｄの点灯・消灯を指示する）制御機能とで構成される。なお、照明機器Ｌｄの動作状態は、信号線Ｌｓ１の伝送信号を監視することによって取得することができる。
【００３８】
計量管理ユニット５の管理部１１は、機器（計量機器Ｍｓ）の管理を行う監視制御機能を有する。当該監視制御機能により、計量管理ユニット５は計量機器Ｍｓとの間でシリアル通信を行うことにより、計量機器Ｍｓに指示を与え、また計量器機Ｍｓからの情報を獲得する。ここで、計量機器Ｍｓは、例えば、照明機器Ｌｄの動作中の電圧、電流、電力の瞬時値や積算値を計測する。したがって、計量管理ユニット５は計量機器Ｍｓから取得する計量情報によって照明機器Ｌｄの動作などを監視することができる。また、当該監視制御機能では、計量監視対象の計量機器Ｍｓから計量情報を獲得してエリアユニット２に送信する処理も行う。
【００３９】
また、照明制御ユニット４および計量管理ユニット５の管理部１１は、エリアユニット２と同様に、下位ネットＮｉ１，Ｎｉ２に接続されている機器（照明機器Ｌｄ、計量機器Ｍｓ）を管理（監視・制御）する情報を中央管理装置６で可視化するウェブサービス機能を備える。ただし、照明制御ユニット４および計量管理ユニット５では、常時はウェブサービス機能を停止させており、各エリアＥを管理する情報は、エリアユニット２のウェブサービス機能によって中央管理装置６で利用可能にしてある。一方、中位ネットＮｍでの生存確認パケットに対して、エリアユニット２が応答しないときには、照明制御ユニット４と計量管理ユニット５とのウェブサービス機能が利用可能になる。
【００４０】
このような照明制御ユニット４と計量管理ユニット５とは、中位ネットＮｍと下位ネットＮｉ１，Ｎｉ２との仲介を行うから、それぞれ中位ネットＮｍで用いるアドレス（ＩＰアドレスだけではなくＢＡＣｎｅｔでの識別情報）と、下位ネットＮｉ１，Ｎｉ２で用いるアドレス（照明機器Ｌｄあるいは計量機器Ｍｓを区別するアドレス）とが設定内容として記憶される。なお、計量機器Ｍｓのアドレスは、ＲＳ−４８５規格のシリアル通信で用いる。
【００４１】
エリアユニット２の管理部１１は、照明制御ユニット４および計量管理ユニット５との間で機器（照明機器Ｌｄ、計量機器Ｍｓ）の管理のための情報（例えば、照明機器Ｌｄの制御情報）を授受する監視制御機能と、照明制御ユニット４や計量管理ユニット５から取得した情報を上位ネットＮｓに接続した中央管理装置６で閲覧可能にするウェブサービス機能とを有する。つまり、照明制御ユニット４や計量管理ユニット５からエリアユニット２が取得した情報は、中央管理装置６において可視化される。
【００４２】
本実施形態におけるエリアユニット２は、エリアユニット２が接続されたエリアＥ内の照明制御ユニット４でグループ制御あるいはパターン制御を行う機能を有しており、当該機能の実行の際には、パターン設定情報である制御定義テーブルが用いられる。
【００４３】
この制御定義テーブルは、例えば、表１に示すように、一括して制御しようとする照明機器Ｌｄが接続されている照明制御ユニット４の管理番号（照明−１、照明−２）と、当該照明器具Ｌｄが属しているローカルグループ名ｇ１〜ｇ４との組と、グローバルグループ名Ｇ１，Ｇ２との関係を示すものである。したがって、グローバルグループ名Ｇ１，Ｇ２を指定すると、各照明制御ユニット４に接続された照明機器Ｌｄをローカルグループ名ｇ１〜ｇ４を単位として一括して制御することが可能になる。
【００４４】
【表１】
2009265938.tif 000003
【００４５】
ローカルグループ名ｇ１〜ｇ４は、照明制御ユニット４に接続された伝送装置ＣＮに設けた関係テーブル（表２参照）において、一括して制御しようとする照明機器Ｌｄのアドレス１〜１６に対応付けてある。つまり、上述したグループ制御の際に一括して制御しようとする照明機器Ｌｄのアドレス１〜１６の組に、それぞれローカルグループ名ｇ１〜ｇ４が付与される。
【００４６】
【表２】
2009265938.tif 000004
【００４７】
ここでは、グループ制御を対象としているから、ローカルグループ名ｇ１〜ｇ４を単位とするグループ制御が行われる。また、グローバルグループ名Ｇ１，Ｇ２の指定により、複数のグループ制御を一括して行うことになる。この種の制御をグローバルグループ制御と呼ぶ。また、グループ制御に代えてパターン制御を行うことも可能であり、グローバルグループ名Ｇ１，Ｇ２に代えてグローバルパターン名を用いることにより複数のパターン制御を一括して行う場合をグローバルパターン制御と呼ぶ。
【００４８】
例えば、エリアユニット２が、中央管理装置６からグローバルグループ名Ｇ１の照明機器Ｌｄを点灯させる指示を受け取ったとすると以下の動作を行う。エリアユニット２では、表１に示す制御定義テーブルを用いて、グローバルグループ名Ｇ１を展開する。ここでは、グローバルグループ名Ｇ１に対して（照明−１−ｇ１）と（照明−２−ｇ３）とが関係付けられているから、管理番号が（照明−１）と（照明−２）との照明制御ユニット４に対して、ローカルグループ名ｇ１，ｇ３に含まれる照明機器Ｌｄを点灯させる指示を中位ネットＮｍを通して送信する。
【００４９】
管理番号が（照明−１）と（照明−２）との照明制御ユニット４は、それぞれに接続されている下位ネットＮｉ１の伝送装置ＣＮに対して、ローカルパターン名ｇ１，ｇ３を通知する（ローカルパターン名ｇ１，ｇ３に対応するアドレスを持つ操作用端末器ＴＵ１として動作する）。したがって、各伝送装置ＣＮはローカルグループ名ｇ１，ｇ３を関係テーブルに照合することにより、一括して点灯させる照明機器Ｌｄのアドレスを取得し、それらの照明機器Ｌｄが接続されている制御用端末器ＴＵ２に伝送信号を受信させ、照明機器Ｌｄのグループ制御を行う。
【００５０】
具体的には、（照明−１）（照明−２）の管理番号が付与された各照明制御ユニット１に接続されている伝送装置ＣＮが、いずれも表２に示す関係テーブルを有しているとすると、（照明−１）の管理番号が付与された照明制御ユニット１に接続された下位ネットＬｉ１ではアドレス１〜４の照明機器Ｌｄが動作し、（照明−２）の管理番号が付与された照明制御ユニット１に接続された下位ネットＮｉ１ではアドレス９〜１２の照明機器Ｌｄが動作する。ここでは、グループ制御を行う例を示しているから、照明機器Ｌｄの動作は一括して点灯または消灯するという動作になる。なお、伝送装置ＣＮごとに関係テーブルを異ならせてもよいのはもちろんのことである。
【００５１】
すなわち、グローバルグループ名Ｇ１を用いることにより、エリアＥ内の複数の照明機器Ｌｄを一括して制御することができる。また、中央管理装置６から複数のエリアＥのエリアユニット２に対してグローバルグループ名を指定して制御内容（点灯・消灯の別）を送信すれば、各エリアＥのエリアユニット２が、それぞれグローバルグループ名を照明制御ユニット４の管理番号とローカルグループ名との組に展開し、最終的には、ローカルグループ名を用いた各下位ネットＮｉ１でのグループ制御になる。
【００５２】
また、エリアユニット２は、中央管理装置６からグローバルグループ名とともに時刻情報を受け取ることによって、序列制御（タイムスケジュールによる制御）を行う機能も有している。エリアユニット２は、タイムスケジュール（スケジュール設定）を中央管理装置６から受け取ると、指示内容を記憶部１１に格納して、現在時刻が指示された時刻（上述の例では、１２：００）になるまで待ち、指示された時刻になると、グローバルグループ名Ｇ１を展開した照明制御ユニット４にローカルグループ名と制御内容とを送信する。表１の例では、管理番号が（照明−１）の照明制御ユニット１に対してローカルグループ名ｇ１が送信され、管理番号が（照明−２）の照明制御ユニット１に対してローカルグループ名ｇ３が送信される。
【００５３】
エリアユニット２において上述した序列制御を可能にしていることにより、中央管理装置６から序列制御の時刻を指定してグローバルグループ名と制御内容とを各エリアＥのエリアユニット２に送信することで、管理領域Ａの全体に配置した照明機器Ｌｄの点灯・消灯を時間経過に伴って変化させることが可能になる。
【００５４】
序列制御においては、照明機器Ｌｄを制御する時刻と制御内容とが指定されているから、中央管理装置６からエリアユニット３に一度だけタイムスケジュールを送信しておけば、以後はエリアユニット３がエリアＥ内の各照明制御ユニット１にローカルグループ名と制御内容とを順次送信することになり、中央管理装置６が接続されていなくともエリア間で同期をとる必要がないから、各エリアＥが自律的に非同期で照明機器Ｌｄを動作させることができる。
【００５５】
このようなエリアユニット２の記憶部１１に記憶される上記設定内容には、例えば、通信部での通信に必要な通信設定情報データと、機器（照明機器Ｌｄおよび計量機器Ｍｓ）の管理に用いる機器管理設定情報データとが含まれる。上記の通信設定情報データには、例えば、通信時の送信元のＩＰアドレスと、通信時の送信先のＩＰアドレスと、エリアＥ内でのブロードキャストアドレスとが含まれる。さらに、通信設定情報データには、エリアユニット２と接続される照明制御ユニット４および計量管理ユニット５を個別に管理する管理番号と、照明制御ユニット４および計量管理ユニット５のＩＰアドレスとを関係付けた対応テーブルなどが含まれる。当該対応テーブルを利用することにより、ＩＰアドレスに代えて管理番号を用いて、エリアユニット２が接続されているエリアＥ内の照明制御ユニット４および計量管理ユニット５と通信することができる。上記の機器管理設定情報データは、エリアユニット２が接続されるエリアＥ内で接続可能なユニット（エリアユニット２、管理ユニット３、照明制御ユニット４、計量管理ユニット５を含む）１の最大台数と、エリアＥに実際に接続されている台数との情報を含む。当該機器管理設定情報データは、照明制御ユニット４および計量管理ユニット５を監視する際に用いられる。
【００５６】
また、機器管理設定情報データには、照明制御ユニット４および計量管理ユニット５を制御する際に用いられる上記の制御定義テーブルと、タイムスケジュールとが含まれており、当該制御定義テーブルは、上述したようにエリアユニット２が接続されたエリアＥ内の照明制御ユニット４でグループ制御あるいはパターン制御を行う際に用いられ、タイムスケジュールは、上述したように序列制御に用いられる。
【００５７】
管理ユニット３の管理部１１は、エリアＥ内のエリアユニット２と照明制御ユニット４と計量管理ユニット５とについて中位ネットＮｍで用いるアドレスを記憶するアドレス記憶機能を有する。上記アドレスは、例えば、管理ユニット３がＢＡＣｎｅｔプロトコルで生存確認パケットを送信することにより取得する。また、管理ユニット３の管理部１１は、中位ネットＮｍに生存確認パケットが送出されたときの応答により、エリアＥ内の他のユニット（エリアユニット２、照明制御ユニット４、計量管理ユニット５）１の状態を確認し、他のユニット１が正常に機能していないときには警報を発生し、必要に応じてエリアユニット２を通して（エリアユニット２が正常に機能していないときには、管理ユニット３自身が）中央管理装置６に警報を通知し中央管理装置６のモニタ装置（図示せず）に警報を表示させる機能や、警報情報などのシステム状態の履歴を記憶部１１に格納するとともに中央管理装置６に通知するシステム状態通知機能、取得した情報（例えば、中位ネットＮｍでのアドレスの情報および下位ネットＮｉ１，Ｎｉ２の機器の管理に必要な設定情報）を中央管理装置６で閲覧可能にするウェブサービス機能を備える。
【００５８】
さらに、管理ユニット３は、エリアユニット２、照明制御ユニット４、および計量管理ユニット５それぞれの動作に必要なデータをバックアップするバックアップ機能を備える。例えば、バックアップ機能は、常時、エリアユニット２と照明制御ユニット４と計量管理ユニット５とに対してそれぞれバックアップ用の情報の取得要求を繰り返して行う。エリアユニット２と照明制御ユニット４と計量管理ユニット５とは、管理ユニット３からの情報の取得要求に対して前回の要求時との情報の変化を判断し、情報に変化がなければ取得要求に応答せず、変化が生じたときにのみ取得要求に対して情報を送信する。このような動作により、管理ユニット３ではエリアユニット２と照明制御ユニット４と計量管理ユニット５との動作に関して最新のデータを記憶する。
【００５９】
設定装置７は、マイクロコンピュータを主構成要素に持ち、ＲＡＭおよびＲＯＭ（例えば、着脱可能なフラッシュＲＯＭ）からなる記憶部７０を備える。記憶部７０には、ユニット１の最新の設定内容が記憶される更新用の記憶領域が設けられる（すなわち、記憶部７０により最新の設定内容が記憶される更新内容記憶部が構成される）。当該最新の設定内容は設定装置７に設けられた入力部７１を用いて入力可能である。なお、設定装置７は上位ネットＮｓに接続するための通信部（図示せず）を備える。このような通信部は従来周知であるから詳細な説明は省略する。
【００６０】
また、設定装置７は、ユニット１に対して記憶部１０に記憶された設定内容の通知を要求する通知要求信号を送信する設定内容要求部７２と、通信ネットワークを通じてユニット１に最新の設定内容を送信する設定内容送信部７３とを備える。このような設定内容要求部７２および設定内容送信部７３は、設定装置７の主構成要素であるマイクロコンピュータに所定のプログラムを実行させることによって実現される。
【００６１】
設定内容要求部７２は、設定装置７が通信ネットワーク（本実施形態の場合は上位ネットＮｓを想定している）に接続された際に通知要求信号を送信する。なお、設定内容要求部７２より通知要求信号が送信されるタイミングは、設定装置７を上位ネットＮｓに接続したときに限定されず、入力部７１により指示することができるようにしてもよい。
【００６２】
また、設定内容要求部７２は、通知要求信号をブロードキャストする。これによって、通知要求信号は、上位ネットＮｓに接続されている複数台のユニット１全てに対して送信される。なお、以下では、エリアユニット２が、設定内容を変更する対象のユニット１であるとして説明する。
【００６３】
これに対応して、ユニット１（本実施形態ではエリアユニット２）には、通知要求信号を受信すると記憶部１０に記憶された設定内容を設定装置７に送信する設定内容通知部１２が設けられる。このような設定内容通知部１２は、エリアユニット２の主構成要素であるマイクロコンピュータに所定のプログラムを実行させることによって実現される。
【００６４】
したがって、設定装置７は、上位ネットＮｓに接続された全てのエリアユニット２より設定内容を取得する（設定内容を吸い上げる）。ここで、記憶部７０には、バックアップ情報として記憶されるバックアップ用記憶領域が設けられており、エリアユニット２から受け取った設定内容は当該バックアップ用記憶領域に記憶される（すなわち、記憶部７０がバックアップ用記憶部を構成する）。
【００６５】
設定内容送信部７３は、最新の設定内容を送信するにあたっては、エリアユニット２から受け取った設定内容と、記憶部７０に記憶された最新の設定内容とが同一か否かの判定（更新要否判定）を行う。更新要否判定の結果が同一であるエリアユニット２は、設定内容を更新する必要がないから、設定内容送信部７３は、更新要否判定により同一と判定されたエリアユニット２には最新の設定内容を送信せずに、更新要否判定の結果が同一でないエリアユニット２に対してのみ最新の設定内容を送信する。
【００６６】
これに対応して、エリアユニット２には、設定装置７より最新の設定内容を受け取ると、受け取った最新の設定内容に記憶部１０の設定内容を更新する設定内容更新部１３が設けられる。このような設定内容更新部１３は、エリアユニット２の主構成要素であるマイクロコンピュータに所定のプログラムを実行させることによって実現される。
【００６７】
したがって、本実施形態の機器管理システムでは、設定装置７を利用することで、エリアユニット２の設定内容の更新（変更）が行えるようになっている。以下に、図３を参照して設定内容の更新時の動作について説明する。なお、図３を用いた説明では、説明の簡略化のために、設定装置７により設定内容が更新されるエリアユニット２は２台であるとして説明する。また、２台のエリアユニット２を区別するために、必要に応じて一方のエリアユニット２を符号２Ａで表し、他方のエリアユニット２を符号２Ｂで表す。
【００６８】
まず、設定装置７を上位ネットＮｓから取り外した状態で入力部７１を利用して最新の設定内容を入力する（Ｐ１０）。その後に、設定装置７を上位ネットＮｓに接続すると、設定内容要求部７２より通知要求信号が送信される（Ｐ１１）。設定装置７より送信された通知要求信号は上位ネットＮｓに接続されているエリアユニット２に送信され、当該通知要求信号を受信したエリアユニット２は、記憶部１０に記憶された設定内容を設定装置７に送信する（Ｐ２０）。
【００６９】
設定装置７は、エリアユニット２Ａ，２Ｂより設定内容を受け取ると、エリアユニット２から受け取った設定内容を記憶部７０のバックアップ用の記憶領域に記憶させる（Ｐ１２）。また、設定内容送信部７３において、エリアユニット２から受け取った設定内容と、記憶部７０に記憶された最新の設定内容とが同一か否かの判定（更新要否判定）が行われ、この更新要否判定の結果によって、最新の設定内容を送信するユニット１が選択され（Ｐ１３）、選択されたユニット１に対して、最新の設定内容が送信される（Ｐ１４）。図３では、エリアユニット２Ａのみが選択された場合を示している。
【００７０】
この場合、エリアユニット２Ａでは、設定装置７より最新の設定内容を受け取ると、受け取った最新の設定内容に記憶部１０の設定内容が更新される（Ｐ２１）。なお、エリアユニット２Ｂでは、設定装置７より最新の設定内容を受け取らないので、記憶部１０の設定内容は更新されない。
【００７１】
以上述べたように、本実施形態の機器管理システムによれば、設定装置７の記憶部７０に最新の設定内容を書き込むことで、ユニット１の設定内容を最新の設定内容に更新することができるので、ユニット１毎に記憶部１０の設定内容を更新する作業を行わなくて済むから、ユニット１の設定内容の更新を容易に行うことができる。
【００７２】
また、設定装置７は、ユニット１から受け取った設定内容と、記憶部７０に記憶された最新の設定内容とが同一か否かの判定を行い、判定の結果が同一でないユニット１に対してのみ最新の設定内容を送信するので、設定内容の更新が必要なユニット１にのみ設定装置７から最新の設定内容が送信されるから、設定内容の更新時の通信ネットワークにおけるトラフィックを減少させることができる。加えて、設定装置７は、ユニット１から受け取った設定内容をバックアップ情報として記憶するから、設定内容を更新する前の各ユニット１の設定内容が必要な場合（例えば復旧時）などに対応することができる。
【００７３】
なお、設定装置７は人が携行可能な大きさ、重量に設計することが好ましい。このようにすれば、例えばパーソナルコンピュータなどにより、設定装置７の記憶部に最新の設定内容を書き込み、その後に設定装置７を通信ネットワークに接続することによって、各ユニット１の設定内容の更新が可能になる。
【００７４】
ところで、本実施形態の機器管理システムでは、主として設定内容が正しく更新されているか否かを確認するために、シミュレーションを行うことができるようになっている。
【００７５】
そのために、ユニット１（本実施形態ではエリアユニット２）には、シミュレーション用の偽制御信号を受信すると、受信した偽制御信号の制御内容と同内容の制御信号を受信した際に記憶部１０に記憶された設定内容にしたがって行われる機器の管理結果を示す結果データを作成して設定装置７に送信する結果通知部１４が設けられている。
【００７６】
ここで、偽制御信号は、例えば、上述の制御信号に、当該制御信号がシミュレーション用のものであることを示す符号を付したものであり、エリアユニット２では、当該符号の有無によって、制御信号か偽制御信号かを判別する。制御信号である場合には、実際に機器の管理を行うが、偽制御信号である場合には機器の管理は行わない。このような結果通知部１４は、エリアユニット２の主構成要素であるマイクロコンピュータに所定のプログラムを実行させることによって実現される。
【００７７】
一方、設定装置７では、入力部７１によってエリアユニット２のシミュレーション用のデータの入力に使用することができるようになっている。また、設定装置７は、入力部７１の入力内容に応じた偽制御信号をエリアユニット２に送信する偽制御信号送信部７４と、エリアユニット２より受け取った結果データに基づいて機器の管理結果を表示する結果表示部７５とを備える。すなわち、入力部７１は、エリアユニット２のシミュレーション用のデータの入力に使用されるデータ入力部としても用いられる。なお、偽制御信号送信部７４および結果表示部７５は、設定装置７の主構成要素であるマイクロコンピュータに所定のプログラムを実行させることによって実現される。
【００７８】
結果表示部７５は、例えば、液晶表示器などのモニタ装置を備えており、当該モニタ装置に、図５（ａ），（ｂ）に示すように、記所定の管理領域を示す地図画像を、当該管理領域に存在する複数台の機器それぞれを示す機器画像とともに表示する。また、結果表示部７５は、機器画像を、機器の管理状態に応じて変化させる。例えば、図５（ａ），（ｂ）に示す例では、照明機器Ｌｄを、管理状態が点灯状態であれば「●」で、管理状態が消灯状態であれば「○」で示している。
【００７９】
このように本実施形態の機器管理システムでは、設定装置７を利用することで、機器管理のシミュレーションを行うことができる。以下に、図４を参照してシミュレーション時の動作について説明する。なお、図４を用いた説明では、説明の簡略化のために、設定装置７により偽制御信号が送信されるエリアユニット２は２台であるとして説明する。また、２台のエリアユニット２を区別するために、必要に応じて一方のエリアユニット２を符号２Ａで表し、他方のエリアユニット２を符号２Ｂで表す。
【００８０】
まず、設定装置７の入力部７１により、シミュレーションしたい内容を入力する（Ｐ１５）。例えば、シミュレーション内容が、エリアＥ１の照明機器Ｌｄのみを点灯させ、他のエリアＥの照明機器Ｌｄを消灯させるというものであれば、当該内容に対応する偽制御信号が作成され、各エリアユニット２に送信される（Ｐ１６）。
【００８１】
各エリアユニット２は、偽制御信号を受信すると、当該偽制御信号および記憶部１０の設定内容に基づいて、結果データを作成して、設定装置７に送信する（Ｐ２２）。
【００８２】
設定装置７は、エリアユニット２より結果データを受け取ると、エリアユニット２から受け取った結果データに基づいて、結果表示を行う（Ｐ１７）。例えば、受け取った結果データが、エリアＥ１の照明機器Ｌｄのみが点灯するというものであれば、図５（ａ）に示すような結果表示が行われる。ここで、設定装置７で入力したシミュレーション内容が、「エリアＥ１の照明機器Ｌｄのみを点灯させ、他のエリアＥの照明機器Ｌｄを消灯させる」というものであれば、設定内容が正しく更新されていることが確認できる。一方、受け取った結果データが、エリアＥ２の照明機器Ｌｄのみが点灯するというものであれば、図５（ｂ）に示すような結果表示が行われ、設定装置７で入力したシミュレーション内容と相違する場合には、設定内容が正しく更新されていないことが確認できる。
【００８３】
したがって、本実施形態の機器管理システムによれば、エリアユニット２に機器の管理結果をシミュレーションすることができ、想定通りに機器の管理が行われるか否かを確認することで、エリアユニット２の設定内容が正しく更新されているか否かを確認することができる。また、シミュレーション時には機器の管理を行わないので、システムの運用中であっても問題なくシミュレーションを行うことができる。
【００８４】
特に、本実施形態における結果表示部７５では、所定の管理領域を示す地図画像に、当該管理領域に存在する複数台の機器それぞれを示す機器画像を表示し、その上、機器の管理状態に応じて機器画像を異ならせるので、機器の管理結果を視覚的に分かり易く把握することができる。
【００８５】
なお、本実施形態の照明器具は、あくまでも本発明の一実施形態に過ぎないものであって、本発明の技術的範囲を本実施形態のものに限定する趣旨ではなく、本発明の趣旨を逸脱しない範囲での変更は当然に行える。例えば、結果表示部７５で表示する内容は、図５に示すような地図に限定されず、例えば、ユニット１の接続状況を示すブロック図（例えば図１に示すようなブロック図）や、樹形図、その他の樹形図や地図に相当するような図であってもよい。また、結果表示部７５で表示する内容は、予めシステムの設計者などが入力するようにしてもよいし、各ユニット１より取得した情報に基づいて、ユニット１同士の接続関係を把握し、その把握結果に基づいて、設定装置７が自動的に作成するようにしてもよい。この場合、図５（ａ），（ｂ）に示すような画像ではなく、簡単な樹形図などにより結果表示を行う。
【００８６】
また、上記の例では、エリアユニット２を、設定装置７より最新の設定内容を送るユニット１とした例について説明したが、設定装置７より最新の設定内容を送るユニット１は、エリアユニット２に限定されず、管理ユニット３や、照明制御ユニット４、計量管理ユニット５のいずれであってもよく、通信ネットワークに接続されている全てのユニット１を対象とすることができる。この点は、シミュレーションに関しても同様であり、管理ユニット３や、照明制御ユニット４、計量管理ユニット５においてもシミュレーションを行えるようにしてもよい。
【図面の簡単な説明】
【００８７】
【図１】実施形態を示すブロック図である。
【図２】同上における管理領域とエリアとの関係を示す図である。
【図３】同上における設定内容更新時の説明図である。
【図４】同上におけるシミュレーション時の説明図である。
【図５】同上における結果表示部での表示内容を示す説明図である。
【符号の説明】
【００８８】
１    ユニット
７    設定装置
１０    記憶部
１２    設定内容通知部
１３    設定内容更新部
１４    結果通知部
７０    記憶部（更新内容記憶部，バックアップ用記憶部）
７１    入力部（データ入力部）
７２    設定内容要求部
７３    設定内容送信部
７４    偽制御信号送信部
７５    結果表示部
Ｌｄ    照明機器（機器）
Ｍｓ    計量機器（機器）
Ｎｓ    上位ネット（通信ネットワーク）
Ｎｍ    中位ネット（通信ネットワーク）
Ｎｉ１，Ｎｉ２  下位ネット（通信ネットワーク）
【図１】
2009265938.tif 000005
【図２】
2009265938.tif 000006
【図３】
2009265938.tif 000007
【図４】
2009265938.tif 000008
【図５】
2009265938.tif 000009